(57)【特許請求の範囲】
【請求項１】
切断ナイフにおいて、角材形状の担体（２）が備えられていて、前記担体（２）には、それぞれ少なくとも１つの切断用はめ込み部（５）を有する複数のナイフ保持部（４）が取り外し可能に固定されていて、前記切断用はめ込み部（５）は、補いあって１つの連続する刃になるものであり、
前記担体（２）には、前記複数のナイフ保持部（４）が配列される方向の両側（１４）で、取り付け位置で前記ナイフ保持部（４）を相互に締め付ける少なくとも１つの締め付け板（１６）が前記担体（２）に対して固定可能であることを特徴とする切断ナイフ。
【請求項２】
１つのナイフ保持部（４）の長さは、当該ナイフ保持部（４）に固定されている前記切断用はめ込み部（５）の長さに一致することを特徴とする請求項１に記載の切断ナイフ。
【請求項３】
前記ナイフ保持部（４）には凹部（６）が設けられていて、前記凹部（６）中では、前記切断用はめ込み部（５）が、形状締結で収容され、かつ負荷方向で支えられていることを特徴とする請求項１または２に記載の切断ナイフ。
【請求項４】
前記切断用はめ込み部（５）は前記凹部（６）中にはんだ付けされていることを特徴とする請求項３に記載の切断ナイフ。
【請求項５】
前記担体（２）には、その中に前記ナイフ保持部（４）が形状締結で収容されている凹部（８）が設けられていることを特徴とする請求項１から４のいずれか１項に記載の切断ナイフ。
【請求項６】
前記凹部（８）は縦溝（９）を有していて、前記縦溝（９）中に前記各ナイフ保持部（４）の縦方向の突起部（１０）が形状締結で係合することを特徴とする請求項５に記載の切断ナイフ。
【請求項７】
前記ナイフ保持部（４）は、保持部側の孔（１１）を貫通しかつ担体側でそれぞれ１つのねじ孔（１３）中にねじ込まれているねじ（１２）により固定されていることを特徴とする請求項１から６のいずれか１項に記載の切断ナイフ。
【請求項８】
前記担体（２）には、側方で、それぞれ少なくとも１つのねじ孔（１５）が設けられていて、前記ねじ孔（１５）中に、前記各締め付け板（１６）を締め付けるねじ（１８）がねじ込まれていることを特徴とする請求項１に記載の切断ナイフ。
【請求項９】
請求項１から８のいずれか１項に記載の切断ナイフ（１）を少なくとも１つ有するスチールコード用鋏。
【請求項１０】
２つの切断ナイフ（１）が設けられ、前記切断ナイフのうちの一方が上方ナイフを形成し、他方が下方ナイフを形成することを特徴とする請求項９に記載のスチールコード用鋏。
【発明の詳細な説明】
【技術分野】
【０００１】
本発明は、切断ナイフ、とりわけコードバンド用鋏のための切断ナイフに関する。
【背景技術】
【０００２】
上述の様式の切断ナイフは、バンド形状の材料を切断する場合に、至る所で採用される。これらの切断ナイフは、固定または可動であり、もう１つ別の切断ナイフと協働し、間にあるバンド材料を切断する。主な採用分野は、スチール・コード・バンドまたは繊維コードバンドを切断する分野である。これらのバンドは、タイヤ製造で使用され、ロール材料から、適切なスチール・コード・バンドまたは繊維コードバンド用鋏を介して、さらに加工が行われる扱いやすい個々のバンド材料に切断される。これに関して、公知の切断ナイフは角材形状の担体を有し、この担体には、その全長に亘って延在する硬質金属からなる切断用はめ込み部が１つ配置されている。通常、この切断用はめ込み部ははんだ付けされていて、したがって、担体と取り外し不能に連結されている。このナイフの長さは、鋏の大きさに応じて通常１ｍを上回り、通常１．５ｍ以上の長さである。
【０００３】
切断用はめ込み部は、とりわけ、スチール・コード・バンド（通常はゴムである弾性材料からなり、かつ長手方向で平行に並んでいる多数のスチール繊維が中に入れられている）を切断する場合には、継続的に負荷がかけられるが、これは、スチール繊維はかなりの硬さを有するからで、かつ、通常かなりの高周波で切断が行われるからである。これにより、切断用はめ込み部が損傷し、材料が噴出し、または亀裂が生じ、さらなる使用ができなくなるという結果になる。とりわけ、切断用はめ込み部を再研磨することによっては取り除くことができないような激しい損傷では、上述のように切断用はめ込み部が通常担体と取り外し不能に連結されているので、切断ナイフは全体としてもはや使用することができなくなる。
【発明の概要】
【発明が解決しようとする課題】
【０００４】
本発明の課題は、より容易に保守可能である切断ナイフを提供することである。
【課題を解決するための手段】
【０００５】
この課題を達成するために、本発明では、とりわけスチール・コード・バンド用鋏のための切断ナイフが提供され、この切断ナイフに角材形状の担体が備えられていて、この担体には、それぞれ少なくとも１つの切断用はめ込み部を有する複数のナイフ保持部が取り外し可能に固定されていて、これらの切断用はめ込み部は、補いあって１つの連続する刃になることを特徴としている。
【０００６】
本発明の切断ナイフは、モジュール形式で組み立てられていることが特別な利点である。この切断ナイフは、中央にある角材形状の担体からなり、この担体を介して切断ナイフが全体として鋏側で遮られている。本発明によれば、担体には、複数の個々のナイフ保持部が取り外し可能に固定可能である。各ナイフ保持部は、少なくとも１つの切断用はめ込み部を担持している。組み立て位置では、すなわち、全ての配置されるべきナイフ保持部が担体に据え付けられている場合、切断用はめ込み部は隣接し、連続する刃を形成し、統一的な均一の切断が可能であるが、それにもかかわらず、モジュールとして組み立てられている。
【０００７】
ここで、切断用はめ込み部のうちの１つが作動中に損傷すると、ナイフ保持部をその損傷した切断用はめ込み部と共に取り除くだけで、新しい切断用はめ込み部を備えたナイフ保持部と交換することが難なく可能である。このナイフ保持部ないし新しい切断用はめ込み部は、切れ目なく「古い」切断用はめ込み部の列にはめ込まれ、再び連続する刃を形成し、この刃は、平面性を達成するために、必要な場合にはただ再研磨するだけでよい。切断ナイフは、それ自体、単に切断用はめ込み部と共にナイフ保持部を交換するだけで、再び完璧に機能性を有することができ、さらに使用可能となる。すなわち、切断ナイフは、切断用はめ込み部がひどく損傷した場合にも、難なく修繕し、新たに挿入することができる。この点は、従来公知の切断ナイフとは異なる。
【０００８】
本発明のさらなる構成では、１つのナイフ保持部の長さは、このナイフ保持部に固定されている切断用はめ込み部の長さに一致する。すなわち、ナイフ保持部は、切断用はめ込み部自体を全長に亘って担持ないし支持する。あるいは、２つ以上の切断用はめ込み部が１つのナイフ保持部に配置され、それらの全長が、ナイフ保持部の長さに精確に一致する。切断用はめ込み部をナイフ保持部に統合ないし固定させるため、本発明のさらなる構成では、ナイフ保持部は凹部を有し、この凹部中では、切断用はめ込み部が、形状締結で収容され、かつ負荷方向で支えられている。例えば、断面方向から見て角のある凹部が設けられている場合、切断用はめ込み部は補完的な形状を有し、これが形状締結で適合可能である。凹部中の切断用はめ込み部の固定は、この場合、好ましくははんだ付けにより、すなわち、切断用はめ込み部が取り外し不能にナイフ保持部に配置されていることにより行われる。
【０００９】
ナイフ保持部を担体に固定するために、担体も、その中にナイフ保持部が形状締結で収容される凹部を有する。この場合も、担体ないしその凹部と、ナイフ保持部との間に形状適合性が存在し、これにより、ナイフ保持部を固定的に配置することができる。
【００１０】
この場合、この形状適合性により、形状締結で収容を行う結果、担体がナイフ保持部を少なくとも負荷方向に支持する。目的に合ったさらなる構成では、さらに、この凹部は縦溝を有していて、この縦溝中に各ナイフ保持部の縦方向の突起部が形状締結で係合する。このように突起部が溝中に係合することにより、いわば後方係合が実現し、これにより、ナイフ保持部を負荷方向にも、負荷方向と逆の方向にも支えることができる。この点は、切断時に協働する双方のナイフが、切断後に互いに最小限に重なり合い、またはクラウニングが得られ、戻る際にナイフが互いに接触し合う場合に、とりわけ目的に合っている。
【００１１】
ナイフ保持部を容易に固定するためには、保持部側の孔を貫通しかつ担体側でそれぞれ１つのねじ孔中にねじ込まれているねじが役立ち、目的に合っている。
【００１２】
本発明の特に有利なさらなる構成によれば、担体には、各側で、取り付け位置でナイフ保持部を相互に締め付ける少なくとも１つの締め付け板が固定可能である。担体の両側の正面に固定可能なこれらの２つの締め付け板を介して、ナイフ保持部は互いに締め付けられ、すなわち、締め付け力が、切断面に対して平行に発生し、これが、ナイフ保持部、およびこれにともなって切断用はめ込み部をも互いに対して固定するように押圧する。これにより、モジュール形式の構造の安定性がより改善される。
【００１３】
締め付け板を固定するため、および、高い締め付け力を得ることができるように、担体には、側方にそれぞれ１つのねじ孔が設けられていて、ねじ孔中に、各締め付け板を締め付けるねじがねじ込まれている。このようにして、締め付け板は、ナイフ保持部を固定した後に付けられ、ねじで固定される。ねじを固定的に付けることで、同時に、締め付け板（これは、場合によっては、隣接する各ナイフ保持部に直接当接する、少し上にある締め付け部分も利用可能である）がナイフ保持部に対してしっかりと押圧され、これにより、ナイフ保持部が、互いに対して締め付けられる。
【００１４】
切断ナイフ自体以外に、本発明は、さらに、上述の様式の切断ナイフを少なくとも１つ有するスチールコード用鋏に関する。
【００１５】
本発明のさらなる構成によれば、スチールコード用鋏は、２つの切断ナイフを有し、これらの切断ナイフのうちの一方が上方ナイフを形成し、他方が下方ナイフを形成する。これらの切断ナイフのうちの少なくとも１つは、適切な機構を介して通常垂直方向に可動であり、他方のナイフに対して変位可能であり、その結果、ナイフの間にあるバンド材料が切断されうる。
【００１６】
本発明のさらなる利点、特徴および詳細は、以下に記載の実施形態から、および、図面に基づき明らかになる。
【図面の簡単な説明】
【００１７】
【図１】本発明の切断ナイフの側面図である。
【図２】図１の線II−IIに沿った断面図である。
【図３】図１の線III−IIIに沿った断面図である。
【図４】図１の切断ナイフの正面図である。
【発明を実施するための形態】
【００１８】
図１は、本発明の切断ナイフ１を示す。この切断ナイフ１は、角材形状の担体２を有し、この担体２の長さは通常１ｍを上回り、６ｍ以上にすることも可能である。担体２には、この全長に分布するように、多数の個々の孔３が設けられていて、この孔は段状に実施されていて（図３参照）、この孔の中に、切断ナイフ１を鋏（とりわけ、スチール・コード・バンド用鋏）の対応する部分に固定するのに役立つねじが挿入され、このねじの頭部が各穴の段状部分に支持されている。
【００１９】
図示した実施形態では、担体２に３つのナイフ保持部４が取り外し可能に固定されていて、これらのナイフ保持部４は、硬質金属からなる切断用はめ込み部５をそれぞれ１つずつ有する。図１に示すように、切断用はめ込み部５の長さは、ナイフ保持部４の長さにぴったり一致していて、図示した例で設けられた全部で３つのナイフ保持部４およびその切断用はめ込み部５の長さは、これも角材形状の担体２の長さとぴったり一致する。１つのナイフ保持部４に複数の切断用はめ込み部５が隣接して配置されている場合には、これらの切断用はめ込み部の全長は、ナイフ保持部４の長さに精確に一致する。
【００２０】
図２から読み取れるように、各ナイフ保持部４は、図示した例では直角の凹部６を有し、この凹部６内に各切断用はめ込み部５が形状結合で挿入されている。したがって、この切断用はめ込み部５も角のある形状を有し、これが凹部６中に適合しうる。切断用はめ込み部５は、凹部６中にはんだ付けされるのが好ましく、したがって取り外し不能に固定される。切断用はめ込み部の露出している側には、本来の刃７があり、３つの全ての切断用はめ込み部５の刃７は補いあって、１つの連続する刃となる。
【００２１】
さらに図２に示すように、担体２にはさらに１つの凹部８が設けられていて、これも、実質的に角のある形状であるが、この凹部８は凹部底部に縦溝９を有し、この縦溝９が、担体の全長に亘って延在している。
【００２２】
各ナイフ保持部４が、形状適合するように形成されていることも明白である。すなわち、ナイフ保持部４は、その背面側の底部形状が上述の凹部形状とぴったり一致し、縦方向の突起部１０を有する。縦方向の突起部１０が縦溝９に係合しつつ、このナイフ保持部は凹部８中に形状締結で挿入される（図２参照）。切断用はめ込み部５（これは、上述したようにナイフ保持部４においてその凹部６中に取り外し不能に固定されている）とは異なり、ナイフ保持部４は担体２に取り外し可能に固定されている。このために、ナイフ保持部４は多数の孔１１を有し、この孔１１も段状に実施されていて、それぞれ１つのねじ１２を収容するのに役立つ。担体２には、さらに、それぞれ１つのねじ孔１３が設けられていて、このねじ孔１３中に、各ねじ１２がねじ込まれる。これにより、各ナイフ保持部は、担体２に固定的に連結される。図示した実施形態では、各ナイフ保持部が、複数のこの種のねじ１２を介して担体２にねじで固定されている（図１参照）。
【００２３】
図１、およびとりわけ図４でさらに示すように、担体２の双方の正面１４では、それぞれ（図１中破線で示した）ねじ孔１５が設けられていて、これにより、各正面１４では締め付け板１６が、平座金１７上に支持されたねじ１８により固定されうる。図４に示すように、締め付け板１６は、それぞれ隣接するナイフ保持部４と、このナイフ保持部４が縦溝９中に係合する領域（図４中に破線で図示）において重複する。右側のナイフ保持部４も、左側のナイフ保持部４も、このように、各締め付け板と重複していて、かつ、締め付け板をねじで固定した結果、締め付け板がナイフ保持部４に対してしっかりと押されるので、結果として、ナイフ保持部４が軸上で互いに締め付けられ、これがナイフ保持部の連結の安定性に寄与する。図示した実施形態では、締め付け板は、それぞれ隣接するナイフ保持部と少しの部分でしか重複していないが、この重複をより大きくすることも当然考えられる。
【００２４】
したがって、本発明の切断ナイフ１はモジュール形式で組み立てられていて、担体２からなり、この担体２には、複数の（図示した例では３つの）ナイフ保持部４が切断用はめ込み部５と共に取り外し可能に固定可能であるのは明らかである。当然、４つ以上のナイフ保持部を切断用はめ込み部と共に設けることも考えることができ、これらのナイフ保持部をより短く実施する、または、より長い角材形状の担体２に対応して相応する数だけ設けることも考えられる。
【００２５】
作動中に、切断用はめ込み部５のうちの１つが損傷した場合には、そのナイフ保持部４のみを、損傷した切断用はめ込み部５と共に、ナイフ保持部の連結から解除すればよく、これは、一方では単に締め付け板１６のねじ１８をわずかに緩め、他方では担体２においてナイフ保持部４を固定するねじ１２を除去するだけで、非常に容易に達成されうる。それに続いてナイフ保持部４を、損傷した切断用はめ込み部５と共に担体２から取り出すことができ、損傷していない新しい切断用はめ込み部５と共に新しいナイフ保持部４をその位置に挿入し、ねじで固定する。全てのねじ１２を固定し、締め付け板１６を新たに締め付けた後には、切断用はめ込み部５を平坦になるように研磨し、「新しい」切断用はめ込み部５を研磨して作り上げるだけでよく、その後、切断ナイフ１が即座に再び使用可能になる。
【００２６】
本発明によるスチールコード鋏は、少なくとも１つのこの種の切断ナイフを有するが、この種の切断ナイフを２つ設け、このうちの一方が上方ナイフを形成し、他方が下方ナイフを形成することも考えられる。この切断ナイフまたは少なくとも１つの切断ナイフは、他方の切断ナイフに対して相対的に動く適切な運動機構と、それ自体公知の方法で連結されている。
【図１】
0005606577.tif 000002
【図２】
0005606577.tif 000003
【図３】
0005606577.tif 000004
【図４】
0005606577.tif 000005